(57)【要約】【課題】正確かつ迅速で、利用者の理解が容易な組立指示を提示すること。【解決手段】組立作業の組立手順を指示する内容と組立手順の指示の説明に必要なデータの識別情報のリストとを記憶する組立指示情報記憶部１２と、データを記憶するメディア情報記憶部１３と、少なくとも一つのデータを表示装置１１に表示する表示制御部１４と、利用者から表示装置１１に表示するデータの条件設定を受け付ける表示条件設定部１５と、表示条件設定部１５が受け付けた設定条件でデータのリストの中から表示装置１１に表示するデータを選択する表示メディア選択部１６と、選択したデータが表示装置１１に表示される位置を表示制御部１４へ指示する指示部１７と、を備え、データは表示装置１１に表示される際の優先表示順位を示す優先度に対応付けられており、表示メディア選択部１６は優先度の大きい順に表示装置１１に表示するデータを前記データ情報記憶手段から選択する。【選択図】        図１
2008155296.tif 000002
【特許請求の範囲】
【請求項１】
組立作業毎に、前記組立作業の組立手順を指示する内容と、前記組立手順の指示を説明するために必要な説明用データの識別情報のリストとを記憶する組立指示情報記憶手段と、
前記説明用データを記憶するデータ情報記憶手段と、
少なくとも一つの前記説明用データを表示装置に表示する表示制御手段と、
利用者から前記表示装置に表示する前記説明用データの条件設定を受け付ける表示条件設定手段と、
組立作業毎に、前記表示条件設定手段が受け付けた設定条件で、前記説明用データのリストの中から前記表示装置に表示する前記説明用データを選択する表示データ選択手段と、
前記表示データ選択手段が選択した前記説明用データが前記表示装置に表示される画面での位置を前記表示制御手段へ指示する指示手段と、を備え、
前記説明用データは、前記表示装置に表示される際の優先表示順位を示す優先度に対応付けられており、
前記表示データ選択手段は、前記優先度の大きい順に、前記表示装置に表示する前記説明用データを前記データ情報記憶手段から選択すること、
を特徴とする組立指示提示装置。
【請求項２】
前記データ情報記憶手段は、さらに、前記説明用データの表示サイズを前記説明用データと対応づけて記憶し、
前記表示データ選択手段は、前記説明用データの前記表示サイズが前記表示装置で表示可能な表示領域サイズを超えていると判断した場合、前記表示装置に表示する前記説明用データとして選択しないこと、
を特徴とする請求項１に記載の組立指示提示装置。
【請求項３】
前記表示データ選択手段は、前記説明用データの前記表示サイズが前記表示領域サイズを超えていると判断した場合、さらに前記表示サイズを縮小すれば前記表示装置で表示可能か否かを判断し、可能な場合には前記表示装置に表示する前記説明用データとして選択し、
前記表示制御手段は、前記説明用データの前記表示サイズを縮小して前記表示装置に表示すること、
を特徴とする請求項２に記載の組立指示提示装置。
【請求項４】
前記表示データ選択手段は、前記説明用データの前記表示サイズが前記表示領域サイズを超えていると判断した場合、前記説明用データを、前記表示データ選択手段が選択した前記説明用データが前記表示装置に表示される前記表示領域サイズの画面とは別画面で表示する前記説明用データとして選択し、
前記表示制御手段は、選択された前記説明用データを、前記別画面として前記表示装置に表示すること、
を特徴とする請求項２に記載の組立指示提示装置。
【請求項５】
前記表示条件設定手段は、さらに、利用者から前記表示領域サイズに対する前記説明用データの前記表示サイズの合計の割合を受け付け、
前記表示データ選択手段は、前記表示装置に表示できる表示領域の合計サイズの範囲で、前記表示装置に表示する前記説明用データを選択すること、
を特徴とする請求項２〜４のいずれか一つに記載の組立指示提示装置。
【請求項６】
前記表示条件設定手段は、さらに、前記表示装置に表示する前記説明用データの数を受け付け、
前記表示データ選択手段は、前記表示装置に表示できる前記説明用データの数の範囲で、前記表示装置に表示する前記説明用データを選択すること、
を特徴とする請求項２〜５のいずれか一つに記載の組立指示提示装置。
【請求項７】
前記指示手段は、前記表示データ選択手段が前記説明用データを選択した順番に基づいて、前記表示装置に表示される画面での位置を指示すること、
を特徴とする請求項１〜６のいずれか一つに記載の組立指示提示装置。
【請求項８】
前記説明用データの前記優先度を変更する優先度変更手段をさらに備えること、
を特徴とする請求項１〜７のいずれか一つに記載の組立指示提示装置。
【請求項９】
前記表示装置に表示される前記説明用データについて利用者の希望の入力を受け付ける入力手段をさらに備え、
前記優先度変更手段は、前記入力手段によって前記利用者による特定の種類の前記説明用データの表示希望の入力を受け付けた場合、当該特定の種類の前記説明用データの前記優先度を大きくするように変更すること、
を特徴とする請求項８に記載の組立指示提示装置。
【請求項１０】
前記表示装置に表示される前記説明用データについて利用者の希望の入力を受け付ける入力手段をさらに備え、
前記データ情報記憶手段は、さらに、前記説明用データと、前記説明用データのデータ作成時期または更新時期とを対応付けて記憶しており、
前記優先度変更手段は、前記入力手段によって前記利用者により最新の前記説明用データの表示希望の入力を受け付けた場合、作成または更新時期が新しい説明用データの前記優先度を大きくするように変更すること、
を特徴とする請求項８に記載の組立指示提示装置。
【請求項１１】
前記説明用データは、静止画像、動画、音声、および、アニメーションの少なくともいずれかを含むこと、
を特徴とする請求項１〜１０のいずれか一つに記載の組立指示提示装置。
【請求項１２】
コンピュータにおいて実行される組立指示提示方法であって、
前記コンピュータは、
組立作業毎に、前記組立作業の組立手順を指示する内容と、前記組立手順の指示を説明するために必要な説明用データのリストとを記憶する組立指示情報記憶手段と、
前記説明用データを記憶するデータ情報記憶手段と、を備え、前記説明用データが、表示装置に表示される際の優先表示順位を示す優先度に対応付けられており、
少なくとも一つの前記説明用データを前記表示装置に表示する表示制御ステップと、
前記表示装置に表示する前記説明用データの条件設定を受け付ける表示条件設定ステップと、
組立作業毎に、前記表示条件設定ステップで受け付けた設定条件で、前記説明用データのリストの中から前記表示装置に表示する前記説明用データを前記データ情報記憶手段から選択する表示データ選択ステップと、
前記表示データ選択ステップで選択した前記説明用データが前記表示装置に表示される画面での位置を前記表示制御手段へ指示する指示ステップと、を含み、
前記表示データ選択ステップは、前記優先度の大きい順に、前記表示装置に表示する前記説明用データを選択すること、
を特徴とする組立指示提示方法。
【請求項１３】
請求項１２に記載された組立指示提示方法をコンピュータに実行させることを特徴とする組立指示提示プログラム。
【発明の詳細な説明】
【技術分野】
【０００１】
本発明は、各種のメディアを使用して組立作業に対する指示を行う組立指示提示装置、組立指示提示方法および組立指示提示プログラムに関するものである。
【背景技術】
【０００２】
従来、静止画像、動画、音声またはアニメーション等の複数のメディアを使用して組立指示データを作成し、これらの組立指示データを工場での組立作業時にディスプレイ装置に表示し、作業員による製品組立てを支援する組立指示提示装置が導入されている（特許文献１参照）。
【０００３】
【特許文献１】特開２００２−２０７５１１号公報
【発明の開示】
【発明が解決しようとする課題】
【０００４】
しかしながら、組立指示で使用できるメディアは多種多様であるのに対し、表示領域の画面サイズの制限からディスプレイ装置の表示画面に表示できるメディアの数には限りがある。このため、組み立て作業の各工程において、多種多様なメディアの中から必要なメディアを選択してディスプレイ装置に表示すべきかを組立指示提示装置や利用者が的確に判断することは困難である。
【０００５】
また、ディスプレイ装置の表示画面に複数のメディアを表示する場合、表示するメディアを決定しても決定したメディアの表示サイズが大きすぎて、ディスプレイ装置の残りの表示領域のスペースでは表示できない場合があった。
【０００６】
本発明は、上記に鑑みてなされたものであって、組立指示に対する多種多様な説明用データ（メディア）を、利用者が理解容易なように適切に選択することができるとともに、適確な組立指示を行って利用者が組立作業を正確かつ迅速に行うことができる組立指示提示装置、組立指示提示方法および組立指示提示プログラムを提供することを目的とする。
【課題を解決するための手段】
【０００７】
上述した課題を解決し、目的を達成するために、請求項１にかかる発明は、組立作業毎に、前記組立作業の組立手順を指示する内容と、前記組立手順の指示を説明するために必要な説明用データの識別情報のリストとを記憶する組立指示情報記憶手段と、前記説明用データを記憶するデータ情報記憶手段と、少なくとも一つの前記説明用データを表示装置に表示する表示制御手段と、利用者から前記表示装置に表示する前記説明用データの条件設定を受け付ける表示条件設定手段と、組立作業毎に、前記表示条件設定手段が受け付けた設定条件で、前記説明用データのリストの中から前記表示装置に表示する前記説明用データを選択する表示データ選択手段と、前記表示データ選択手段が選択した前記説明用データが前記表示装置に表示される画面での位置を前記表示制御手段へ指示する指示手段と、を備え、前記説明用データは、前記表示装置に表示される際の優先表示順位を示す優先度に対応付けられており、前記表示データ選択手段は、前記優先度の大きい順に、前記表示装置に表示する前記説明用データを前記データ情報記憶手段から選択すること、を特徴とする。
【０００８】
また、請求項２にかかる発明は、請求項１に記載の組立指示提示装置において、前記データ情報記憶手段は、さらに、前記説明用データの表示サイズを前記説明用データと対応づけて記憶し、前記表示データ選択手段は、前記説明用データの前記表示サイズが前記表示装置で表示可能な表示領域サイズを超えていると判断した場合、前記表示装置に表示する前記説明用データとして選択しないこと、を特徴とする。
【０００９】
また、請求項３にかかる発明は、請求項２に記載の組立指示提示装置において、前記表示データ選択手段は、前記説明用データの前記表示サイズが前記表示領域サイズを超えていると判断した場合、さらに前記表示サイズを縮小すれば前記表示装置で表示可能か否かを判断し、可能な場合には前記表示装置に表示する前記説明用データとして選択し、前記表示制御手段は、前記説明用データの前記表示サイズを縮小して前記表示装置に表示すること、を特徴とする。
【００１０】
また、請求項４にかかる発明は、請求項２に記載の組立指示提示装置において、前記表示データ選択手段は、前記説明用データの前記表示サイズが前記表示領域サイズを超えていると判断した場合、前記説明用データを、前記表示データ選択手段が選択した前記説明用データが前記表示装置に表示される前記表示領域サイズの画面とは別画面で表示する前記説明用データとして選択し、前記表示制御手段は、選択された前記説明用データを、前記別画面として前記表示装置に表示すること、を特徴とする。
【００１１】
また、請求項５にかかる発明は、請求項２〜４のいずれか一つに記載の組立指示提示装置において、前記表示条件設定手段は、さらに、利用者から前記表示領域サイズに対する前記説明用データの前記表示サイズの合計の割合を受け付け、前記表示データ選択手段は、前記表示装置に表示できる表示領域の合計サイズの範囲で、前記表示装置に表示する前記説明用データを選択すること、を特徴とする。
【００１２】
また、請求項６にかかる発明は、請求項２〜５のいずれか一つに記載の組立指示提示装置において、前記表示条件設定手段は、さらに、前記表示装置に表示する前記説明用データの数を受け付け、前記表示データ選択手段は、前記表示装置に表示できる前記説明用データの数の範囲で、前記表示装置に表示する前記説明用データを選択すること、を特徴とする。
【００１３】
また、請求項７にかかる発明は、請求項１〜６のいずれか一つに記載の組立指示提示装置において、前記指示手段は、前記表示データ選択手段が前記説明用データを選択した順番に基づいて、前記表示装置に表示される画面での位置を指示すること、を特徴とする。
【００１４】
また、請求項８にかかる発明は、請求項１〜７のいずれか一つに記載の組立指示提示装置において、前記説明用データの前記優先度を変更する優先度変更手段をさらに備えること、を特徴とする。
【００１５】
また、請求項９にかかる発明は、請求項８に記載の組立指示提示装置において、前記表示装置に表示される前記説明用データについて利用者の希望の入力を受け付ける入力手段をさらに備え、前記優先度変更手段は、前記入力手段によって前記利用者による特定の種類の前記説明用データの表示希望の入力を受け付けた場合、当該特定の種類の前記説明用データの前記優先度を大きくするように変更すること、を特徴とする。
【００１６】
また、請求項１０にかかる発明は、請求項８に記載の組立指示提示装置において、前記表示装置に表示される前記説明用データについて利用者の希望の入力を受け付ける入力手段をさらに備え、前記データ情報記憶手段は、さらに、前記説明用データと、前記説明用データのデータ作成時期または更新時期とを対応付けて記憶しており、前記優先度変更手段は、前記入力手段によって前記利用者により最新の前記説明用データの表示希望の入力を受け付けた場合、作成または更新時期が新しい説明用データの前記優先度を大きくするように変更すること、を特徴とする。
【００１７】
また、請求項１１にかかる発明は、請求項１〜１０のいずれか一つに記載の組立指示提示装置において、前記説明用データは、静止画像、動画、音声、および、アニメーションの少なくともいずれかを含むこと、を特徴とする。
【００１８】
また、請求項１２にかかる発明は、コンピュータにおいて実行される組立指示提示方法であって、前記コンピュータは、組立作業毎に、前記組立作業の組立手順を指示する内容と、前記組立手順の指示を説明するために必要な説明用データのリストとを記憶する組立指示情報記憶手段と、前記説明用データを記憶するデータ情報記憶手段と、を備え、前記説明用データが、表示装置に表示される際の優先表示順位を示す優先度に対応付けられており、少なくとも一つの前記説明用データを前記表示装置に表示する表示制御ステップと、前記表示装置に表示する前記説明用データの条件設定を受け付ける表示条件設定ステップと、組立作業毎に、前記表示条件設定ステップで受け付けた設定条件で、前記説明用データのリストの中から前記表示装置に表示する前記説明用データを前記データ情報記憶手段から選択する表示データ選択ステップと、前記表示データ選択ステップで選択した前記説明用データが前記表示装置に表示される画面での位置を前記表示制御手段へ指示する指示ステップと、を含み、前記表示データ選択ステップは、前記優先度の大きい順に、前記表示装置に表示する前記説明用データを選択すること、を特徴とする。
【００１９】
また、請求項１３にかかる発明は、請求項１２に記載された組立指示提示方法をコンピュータに実行させることを特徴とする。
【発明の効果】
【００２０】
本発明によれば、組立手順の指示を説明するために必要な説明用データは、表示装置に表示される際の優先表示順位を示す優先度に対応付けられており、組立作業毎に、あらかじめ設定された設定条件または利用者等から受け付けた設定条件で、説明用データのリストの中から優先度の大きい順に表示装置に表示する説明用データを選択し、選択した説明用データを表示装置に表示することで、組立指示における多種多様な説明用データを、利用者が理解容易なように適切に選択することができるとともに、適確な組立指示を行って組立作業を正確かつ迅速に行うことができるという効果を奏する。
【発明を実施するための最良の形態】
【００２１】
以下に添付図面を参照して、この発明にかかる組立指示提示装置、組立指示提示方法および組立指示提示プログラムの最良な実施の形態を詳細に説明する。なお、本発明はこれらの実施の形態に限定されるものではない。
【００２２】
（第１の実施の形態）
第１の実施の形態について、添付図面を参照して説明する。図１は、第１の実施の形態にかかる組立指示提示装置の機能構成を示すブロック図である。本実施の形態にかかる組立指示提示装置１は、表示装置１１、組立指示情報記憶部１２、メディア情報記憶部１３、表示制御部１４、表示条件設定部１５、表示メディア選択部１６、および、指示部１７を備えている。
【００２３】
表示装置１１は、組立作業（タスク）の組立手順に対する具体的な指示内容や、指示内容を分かり易く説明する静止画像や動画等のメディアを画面に表示する。ここで、表示装置１１は、具体的には、ＣＲＴや液晶等のディスプレイである。
【００２４】
組立指示情報記憶部１２は、要求されるタスク毎に、タスクの組立手順を指示する内容、これらの組立手順の指示を説明するために必要なメディアの一覧、および、メディアが表示装置１１に表示される際の優先表示順位を示す優先度を組立指示情報データとして記憶する。
【００２５】
メディア情報記憶部１３は、組立手順の指示を説明するために必要なメディアに関する情報（種類、画面表示サイズ、作成日時または更新日時）と、これらのメディアの具体的な内容とをメディア情報データとして記憶する。ここで、組立指示情報記憶部１２とメディア情報記憶部１３とは、具体的には、ハードディスクドライブ装置（ＨＤＤ）やメモリ等の記憶媒体である。
【００２６】
表示制御部１４は、表示装置１１の画面に表示する作業指示内容の表示とメディアの表示とを制御する。
【００２７】
表示条件設定部１５は、表示装置１１に表示するメディアの条件（メディアの画面表示サイズ）について、あらかじめ設定された設定条件または利用者等からの設定条件を受け付ける。
【００２８】
表示メディア選択部１６は、表示条件設定部１５が受け付けた設定条件と、表示装置１１に表示可能なメディアのサイズと、表示装置１１に表示されるメディアの優先表示順位を示す優先度とに基づいて、組立指示情報記憶部１２に記憶されているメディアの一覧から表示装置１１に表示するメディアを選択し、選択されたメディアを表示装置１１に表示するように、表示制御部１４に指示する。
【００２９】
指示部１７は、表示メディア選択部１６が選択したメディアが表示装置１１に表示される画面での位置を表示制御部１４へ指示する。
【００３０】
次に、組立指示情報記憶部１２に記憶されている組立指示情報データのデータ構造、および、メディア情報記憶部１３に記憶されているメディア情報データのデータ構造についてそれぞれ説明する。
【００３１】
図２は、組立指示情報記憶部１２に記憶されている組立指示情報データのデータ構造の一例を表す図である。図２で示すように、組立指示情報データは、タスク毎（１、２、．．．Ｎ）に分類されており、各タスクに対応して、タスクで行う作業内容（指示内容）と、タスクの説明に必要なメディアの一覧リストとを記憶している。
【００３２】
タスクの組立手順を指示するために、一覧リストに列挙されているメディアが全て必要というわけではなく、全てのメディアの中で数個のメディアだけ、場合によっては１個のメディアだけでもタスクの組立手順を指示することが可能である。例えば、タスク１では、メディアリストに、静止画像−１、動画−１、静止画像−２および静止画像−３の４個のメディアが列挙されているが、タスクの説明のために静止画像−１と動画−１の２個のメディアだけが表示装置１１に表示されてもタスクの組立手順を指示することが可能である。
【００３３】
メディアの一覧リストには、メディア名とそれに対応する優先度が記憶されている。ここで、メディア名は、各メディアを識別するために一意で付けられたファイル名等の名称であり、ここでは、静止画像−１、２、．．．Ｎ、動画−１、２、．．．Ｎ、音声−１、２、．．．Ｎ、および、アニメーション−１、２、．．．Ｎのように名付けられる。
【００３４】
また、優先度は、表示装置１１に表示されるメディアの優先表示順位を示しており、０〜１００の数値で表される。この数値が大きい、即ち、優先度が大きいメディアの方が、先に表示されるべきであることを意味する。例えばタスク１において、静止画像−１の優先度は８０、動画−１の優先度は７０となっており、この場合は優先度が高い静止画像−１が先に表示装置１１に表示されるべきであることを示している。尚、メディアの優先度が同じ場合は、どちらが先に表示されても構わない。図２では、タスク毎にまとめられたメディアリストが優先度の大きい順に並べられているが、メディアの種類毎にまとめて並べられていてもよい。
【００３５】
図３は、メディア情報記憶部１３に記憶されているメディア情報データのデータ構造の一例を表す図である。図３で示すように、メディア情報記憶部１３は、メディア名、メディア種類、画面表示サイズ、および、作成日時／更新日時を対応づけて記憶している。さらに、図示されていないが、メディア情報記憶部１３は、メディア名に対応するメディアの実データ（以下、「メディアコンテンツデータ」という。）をメディア名と対応づけて記憶している。
【００３６】
メディア名は、各メディアを識別するために一意で付けられた名称であり、組立指示情報記憶部１６に記憶されているメディア名と同一のものである。
【００３７】
メディア種類は、メディアのデータ種類を示す。メディアの種類には、静止画像、動画、音声、および、アニメーション等があり、図３では、例えば、静止画像−１のメディア種類は静止画像、動画−１のメディア種類は動画、音声−１のメディア種類は音声、アニメーション−１のメディア種類はアニメーションである。
【００３８】
画面表示サイズは、表示装置１１で表示するメディアの表示サイズを示す。例えば静止画像−１の画面表示サイズは、６４０×４８０ピクセルであることを意味する。尚、この画面表示サイズは通常表示で必要な表示サイズを表しており、メディアの種類によっては、メディアコンテンツデータを変更することにより画面表示サイズを縮小して表示することが可能である。また、音声データは、スピーカーもしくはヘッドホンから出力され、画面には表示されないため、通常画面表示サイズは０となる。ただし、音声データで指示される旨を利用者に示すために、画像データと比べて小さい画面サイズで表示する場合もある。
【００３９】
作成日時／更新日時は、メディアコンテンツが最初に作成された日時、または、メディアコンテンツが更新された場合は最も新しい更新日時を示している。
【００４０】
次に、上述したように構成されている組立指示提示装置による組立指示の提示方法について説明する。図４は、組立指示提示装置が行う組立指示の提示手順を示すフローチャートである。
【００４１】
表示条件設定部１５は、表示装置１１の画面でメディアを表示可能な最大サイズ（表示領域サイズ）に対して、実際に表示するメディアの表示サイズの合計サイズの割合を受け付け、その割合を表示メディア選択部１６へ伝える（ステップＳ１０１）。
【００４２】
この割合は、０〜１００までの百分率で表される。例えば割合が１００％の場合、後述するステップで、表示メディア選択部１６が表示装置１１でメディア表示可能な全面積を使用する前提で、表示メディアの数を選択することを意味する。また、割合が５０％の場合、後述するステップで、表示メディア選択部１６が表示装置１１でメディア表示可能な面積の５０％を使用する前提で、表示メディアの数を選択することを意味する。
【００４３】
なお、表示条件設定部１５は、図示されていない記憶部に記憶されている各タスク毎に設定された割合を読み出すことにより受け付けてもよいし、図示されていない入力部から利用者または監督者等により入力された割合を受け付けてもよい。
【００４４】
表示メディア選択部１６は、組立指示情報記憶部１２から該当するタスクの組立指示で必要なメディアのリストを抽出し、これらを優先度の大きい順に順序化する（ステップＳ１０２）。ここで優先度は、組立指示情報記憶部１２でメディア名と対応付けられて記憶されているため、違うタスクで同じメディアが必要となる場合、タスク毎に異なる優先度を設定することが可能である。尚、優先度の大きさが同じ場合は、前述したようにどちらのメディアを先に表示しても構わないが、本実施例では、便宜的に先に記載されていたメディアを先に表示する。
【００４５】
次に、表示メディア選択部１６は、優先度の最も大きいメディアを選択し（ステップＳ１０３）、選択したメディアの画面表示サイズが表示装置１１で表示可能な表示領域サイズ以下であるか否か、即ち、選択したメディアを表示装置１１で表示するスペースがあるか否か（残っているか否か）を判断する（ステップＳ１０４）。
【００４６】
表示メディア選択部１６が、選択したメディアを表示装置１１で表示するスペースがあると判断した場合（ステップＳ１０４：Ｙｅｓ）、表示メディア選択部１６は、このメディアを表示装置１１に表示するメディアであると判断し、表示制御部１４に対して表示装置１１に表示するように指示する。
【００４７】
表示制御部１４は、表示メディア選択部１６からメディアを表示装置１１に表示するよう指示を受けると、指示部１７からの指示で、表示装置１１の画面でメディアを表示する位置が指定されているか否かを確認する（ステップＳ１０５）。
【００４８】
指示部１７からの指示で、表示装置１１の画面でメディアを表示する位置が指定されていると確認した場合（ステップＳ１０５：Ｙｅｓ）、表示制御部１４は、メディアを表示装置の指定位置に表示する（ステップＳ１０６）。表示位置の指定とは、例えば、表示装置１１の画面をあらかじめ複数に分割し、表示が決定されたメディアを決定順に、指定された分割画面に表示することである。続いて、ステップＳ１１２へ進む。
【００４９】
指示部１７からの指示で、表示装置１１の画面でメディアを表示する位置が指定されていないと確認した場合（ステップＳ１０５：Ｎｏ）、表示制御部１４は、メディアを表示装置の任意の位置に表示する（ステップＳ１０７）。続いて、ステップＳ１１２へ進む。
【００５０】
ステップＳ１０４で、表示メディア選択部１６が、選択したメディアを表示装置１１で表示するスペースがないと判断した場合（ステップＳ１０４：Ｎｏ）、表示メディア選択部１６は、選択したメディアの画面表示サイズが縮小可能であるか否か、そして縮小可能である場合、選択したメディアの縮小後の画面表示サイズが表示装置１１で表示可能なサイズであるか否か、即ち、画面表示サイズを縮小すれば、選択したメディアを表示装置１１で表示するスペースがあるか否かを判断する（ステップＳ１０８）。
【００５１】
具体的には、表示メディア選択部１６は、メディアの現在の表示サイズが表示に耐えうる程度の所定の解像度より大きいか否かを調べることにより、選択したメディアの画面表示サイズが縮小可能であるか否かを判断する。また、表示メディア選択部１６は、メディアの表示サイズから予め定められた所定のサイズである縮小サイズを算出し、縮小サイズが表示装置１１の表示領域サイズと比較して、縮小サイズが表示領域サイズ以下であるか否かを判断することにより、選択したメディアを表示装置１１で表示するスペースがあるか否かを判断する。
【００５２】
表示メディア選択部１６が、選択したメディアの画面表示サイズが縮小可能であり、さらに画面表示サイズを縮小すれば、選択したメディアを表示装置１１で表示するスペースがあると判断した場合（ステップＳ１０８：Ｙｅｓ）、表示メディア選択部１６は、このメディアを表示装置１１に表示するメディアであると判断し、表示制御部１４に対して表示装置１１に表示するように指示する。
【００５３】
表示制御部１４は、表示メディア選択部１６からメディアを表示装置１１に表示するよう指示を受けると、指示部１７からの指示で、表示装置１１の画面でメディアを表示する位置が指定されているか否かを確認する（ステップＳ１０９）。
【００５４】
指示部１７からの指示で、表示装置１１の画面でメディアを表示する位置が指定されていると確認した場合（ステップＳ１０９：Ｙｅｓ）、表示制御部１４は、画面表示サイズを縮小した上で、メディアを表示装置の指定位置に表示する（ステップＳ１１０）。続いて、ステップＳ１１２へ進む。
【００５５】
指示部１７からの指示で、表示装置１１の画面でメディアを表示する位置が指定されていないと確認した場合（ステップＳ１０９：Ｎｏ）、表示制御部１４は、画面表示サイズを縮小した上で、メディアを表示装置の任意の位置に表示する（ステップＳ１１１）。続いて、ステップＳ１１２へ進む。
【００５６】
ステップＳ１０８で、表示メディア選択部１６が、選択したメディアの画面表示サイズが縮小可能でないと判断した場合、または、表示メディア選択部１６が、選択したメディアの画面表示サイズが縮小可能であるが、画面表示サイズを縮小しても、選択したメディアを表示装置１１で表示するスペースがないと判断した場合（ステップＳ１０８：Ｎｏ）、選択したメディアは表示装置１１に表示できないと判断し、そのままステップＳ１１２へ進む。
【００５７】
ステップＳ１１２で、表示メディア選択部１６は、タスクで必要なメディアのリストの中で、まだ選択していないメディアが残っているか否かを確認する。まだ選択していないメディアが残っていると確認した場合（ステップＳ１１２：Ｙｅｓ）、表示メディア選択部１６は、まだ選択していないメディアの中から優先度の最も大きいメディアを選択し（ステップＳ１０３）、以後のステップを繰り返す。
【００５８】
表示メディア選択部１６が、タスクで必要なメディアのリストには、選択していないメディアがもう残っていないと確認した場合（ステップＳ１１２：Ｎｏ）、処理を終了する。
【００５９】
図５は、表示条件設定部１５が受け付けた割合が１００％で、かつ、指示部１７がメディアを表示する位置を指定していない場合に、表示装置１１に表示される画面の一例を表す図である。メディア表示可能範囲１００は、表示装置１１の画面でメディアを表示可能な範囲、すなわち表示領域サイズの範囲を表し、この範囲でメディアが表示される。タスクリスト表示範囲１１０は、表示画面が指示するタスクの内容や他のタスクの一覧等が表示される。図５を見ると、メディア表示可能範囲１００に任意にメディアが配置されることにより、メディア表示可能範囲１００に表示できるだけの数のメディアが、表示されていることがわかる。ここで、動画−３は、本来の画面サイズではサイズが大きすぎて表示できないため、縮小して表示されている。
【００６０】
また、図６は、表示条件設定部１５が受け付けた割合が５０％で、かつ、指示部１７がメディアを表示する位置を指定していない場合に、表示装置１１に表示される画面の一例を表す図である。図６を見ると、メディア表示可能範囲（表示領域サイズの範囲）１００の全面積の５０％を使用してメディアが表示され、さらに、メディア間に適当な間隔を開けるようにメディアが任意に配置され、利用者が見やすくなっていることがわかる。
【００６１】
尚、本実施の形態では、優先度は、組立指示情報記憶部１２でメディア名と対応付けられて記憶されているが、メディア情報記憶部１３でメディア名と対応付けられて記憶されてもよい。この場合、優先度はメディア毎に固定される。
【００６２】
このように、第１の実施の形態にかかる組立指示提示装置によれば、表示装置に表示するメディアを優先度の大きい順に選択することができるので、組立指示の際に重要なメディアを使用して組立指示をすることができ、より正確な組立指示の提示をすることが可能である。
【００６３】
さらに、第１の実施の形態にかかる組立指示提示装置によれば、優先度の大きい順で選択したメディアが表示装置で表示できるサイズを超えている場合、このメディアを表示するメディアとして選択せずに次に優先度の大きいメディアを選択することができるので、メディアの選択を効率的にすることができ、より迅速かつ正確な組立指示の提示をすることが可能である。
【００６４】
さらに、第１の実施の形態にかかる組立指示提示装置によれば、表示装置に表示できるスペースがあまり残っていない場合でも、メディアの表示サイズを縮小することにより、さらにメディアを表示することができるので、できるだけ多くのメディアを表示して組立指示をすることができ、より正確な組立指示の提示をすることが可能である。
【００６５】
さらに、第１の実施の形態にかかる組立指示提示装置によれば、表示装置に表示できるメディアの合計面積を指定することにより、タスクの内容が複雑な場合は、説明するメディアをできるだけ多く画面に表示することができ、また、タスクの内容が簡単な場合は、メディアが見やすいようにメディア同士の間隔を広げて画面に表示することができるので、タスクの内容に応じた組立指示の提示ができ、より理解が容易な組立指示の提示をすることが可能である。
【００６６】
さらに、第１の実施の形態にかかる組立指示提示装置によれば、表示するメディアの画面での位置を指定することができるので、重要度に応じてメディアの配置をすることができ、より理解が容易な組立指示の提示をすることが可能である。
【００６７】
（第２の実施の形態）
第１の実施の形態にかかる組立指示提示装置では、実際に表示装置に表示されるメディアの数は、表示装置に表示可能なスペース（表示領域のサイズ）だけで決定されていたが、この第２の実施の形態にかかる組立指示提示装置では、実際に表示装置に表示されるメディアの数は、表示装置に表示可能なスペース（表示領域のサイズ）に加えて、あらかじめ指定した表示装置に表示を希望するメディアの数も考慮した上で決定される。
【００６８】
第２の実施の形態について、添付図面を参照して説明する。本実施の形態にかかる組立指示提示装置の構成例について、第１の実施の形態を異なる部分を説明する。他の部分については第１の実施の形態と同様であるので、上述した説明を参照し、ここでの説明を省略する。図７は、第２の実施の形態にかかる組立指示提示装置の機能構成を示すブロック図である。
【００６９】
本実施の形態にかかる組立指示提示装置２は、表示装置１１、組立指示情報記憶部１２、メディア情報記憶部１３、表示制御部１４、表示条件設定部２５、表示メディア選択部２６、および、指示部１７を備えている。ここで、表示装置１１、組立指示情報記憶部１２、メディア情報記憶部１３、表示制御部１４、および、指示部１７の構成、機能は、第１の実施の形態と同様であるので、説明を省略する。
【００７０】
表示条件設定部２５は、表示装置１１に表示するメディアの条件（メディアの数、メディア画面表示サイズ）について、あらかじめ設定された設定条件または利用者等からの設定条件を受け付ける。
【００７１】
表示メディア選択部２６は、表示条件設定部２５が受け付けた設定条件と、表示装置１１に表示可能なメディアのサイズと、表示装置１１に表示されるメディアの優先表示順位を示す優先度とに基づいて、表示装置１１に表示するメディアを選択し、これらのメディアを表示装置１１に表示するように、表示制御部１４に指示する。
【００７２】
次に、上述したように構成されている組立指示提示装置による組立指示の提示方法について説明する。図８は、組立指示提示装置が行う組立指示の提示手順を示すフローチャートである。
【００７３】
表示条件設定部２５は、表示装置１１の画面でメディアが表示可能な最大サイズ（表示領域のサイズ）に対して、実際に表示するメディアの表示サイズの合計サイズの割合を受け付け、その割合を表示メディア選択部１６へ伝える（ステップＳ２０１）。
【００７４】
表示条件設定部２５は、さらに、表示装置１１の画面で表示するメディアの数ｎを受け付け、その数ｎを表示メディア選択部１６へ伝える（ステップＳ２０２）。例えば、ｎ＝４の場合、表示装置１１の画面で表示するメディアの数は、１〜４個のいずれかになる。
【００７５】
なお、表示条件設定部２５は、図示されていない記憶部に記憶されている各タスク毎に設定された割合およびメディアの数を受け付けてもよいし、図示されていない入力部から利用者または監督者等により入力された割合およびメディアの数を受け付けてもよい。
【００７６】
表示メディア選択部２６は、組立指示情報記憶部１２から該当するタスクの組立指示で必要なメディアのリストを抜き出し、これらを優先度の大きい順に認識する（ステップＳ２０３）。
【００７７】
表示メディア選択部２６は、ｎが０より大きいか否か、即ち、表示装置１１の画面で表示するメディアを要求された数だけ選択していないか否かを判断する（ステップＳ２０４）。表示メディア選択部２６が、表示装置１１の画面で表示するメディアを要求された数だけ選択している場合（ステップＳ２０４：Ｎｏ）、処理を終了する。
【００７８】
表示メディア選択部２６が、表示装置１１の画面で表示するメディアを要求された数だけ選択していない場合（ステップＳ２０４：Ｙｅｓ）、表示メディア選択部２６は、優先度の最も大きいメディアを選択し（ステップＳ２０５）、選択したメディアの画面表示サイズが表示装置１１で表示可能な表示領域サイズ以下であるか否か、即ち、選択したメディアを表示装置１１で表示するスペースがあるか否か（残っているか否か）を判断する（ステップＳ２０６）。
【００７９】
表示メディア選択部２６が、選択したメディアを表示装置１１で表示するスペースがあると判断した場合（ステップＳ２０６：Ｙｅｓ）、表示メディア選択部２６は、このメディアを表示装置１１に表示するメディアであると判断し、表示制御部１４に対して表示装置１１に表示するように指示する。
【００８０】
表示制御部１４は、表示メディア選択部２６からメディアを表示装置１１に表示するよう指示を受けると、指示部１７からの指示で、表示装置１１の画面でメディアを表示する位置が指定されているか否かを確認する（ステップＳ２０７）。
【００８１】
指示部１７からの指示で、表示装置１１の画面でメディアを表示する位置が指定されていると確認した場合（ステップＳ２０７：Ｙｅｓ）、表示制御部１４は、メディアを表示装置の指定位置に表示する（ステップＳ２０８）。表示位置の指定とは、例えば、表示装置１１の画面をあらかじめ複数に分割し、表示が決定されたメディアを決定順に、指定された分割画面に表示することである。続いて、ステップＳ２１４へ進む。
【００８２】
指示部１７からの指示で、表示装置１１の画面でメディアを表示する位置が指定されていないと確認した場合（ステップＳ２０７：Ｎｏ）、表示制御部１４は、メディアを表示装置の任意の位置に表示する（ステップＳ２０８）。続いて、ステップＳ２１４へ進む。
【００８３】
ステップＳ２０６で、表示メディア選択部２６が、選択したメディアを表示装置１１で表示するスペースがないと判断した場合（ステップＳ２０６：Ｎｏ）、表示メディア選択部２６は、選択したメディアの画面表示サイズが縮小可能であるか否か、そして縮小可能である場合、選択したメディアの縮小後の画面表示サイズが表示装置１１で表示可能なサイズであるか否か、即ち、画面表示サイズを縮小すれば、選択したメディアを表示装置１１で表示するスペースがあるか否かを判断する（ステップＳ２１０）。なお、選択したメディアの画面表示サイズが縮小可能であるか否かの具体的な判断、および選択したメディアを表示装置１１で表示するスペースがあるか否かの具体的な判断については第１の実施の形態と同様に行われる。
【００８４】
表示メディア選択部２６が、選択したメディアの画面表示サイズが縮小可能であり、さらに画面表示サイズを縮小すれば、選択したメディアを表示装置１１で表示するスペースがあると判断した場合（ステップＳ２１０：Ｙｅｓ）、表示メディア選択部２６は、このメディアを表示装置１１に表示するメディアであると判断し、表示制御部１４に対して表示装置１１に表示するように指示する。
【００８５】
表示制御部１４は、表示メディア選択部２６からメディアを表示装置１１に表示するよう指示を受けると、指示部１７からの指示で、表示装置１１の画面でメディアを表示する位置が指定されているか否かを確認する（ステップＳ２１１）。
【００８６】
指示部１７からの指示で、表示装置１１の画面でメディアを表示する位置が指定されていると確認した場合（ステップＳ２１１：Ｙｅｓ）、表示制御部１４は、画面表示サイズを縮小した上で、メディアを表示装置の指定位置に表示する（ステップＳ２１２）。続いて、ステップＳ２１４へ進む。
【００８７】
指示部１７からの指示で、表示装置１１の画面でメディアを表示する位置が指定されていないと確認した場合（ステップＳ２１１：Ｎｏ）、表示制御部１４は、画面表示サイズを縮小した上で、メディアを表示装置の任意の位置に表示する（ステップＳ２１３）。続いて、ステップＳ２１４へ進む。
【００８８】
ステップＳ２１４で、表示メディア選択部２６は、タスクで必要なメディアのリストの中で、まだ選択していないメディアが残っているか否かを確認する。まだ選択していないメディアが残っていると確認した場合（ステップＳ２１４：Ｙｅｓ）、表示メディア選択部２６は、ｎから１を引き（ステップＳ２１５）、ステップＳ２０４へ戻る。即ち、ステップＳ２１５で１を引いた後のｎは、表示メディア選択部２６が再びステップＳ２０４以後で選択して表示部１１に表示する必要があるメディアの数である。
【００８９】
既に選択していないメディアが残っていないと確認した場合（ステップＳ２１４：Ｎｏ）、表示装置１１に表示しているメディアの数は、最初に表示条件設定部２５から受け付けたメディアの数ｎより少ないが、処理を終了する。
【００９０】
ステップＳ２１０で、表示メディア選択部２６が、選択したメディアの画面表示サイズが縮小可能でないと判断した場合、または、表示メディア選択部２６が、選択したメディアの画面表示サイズが縮小可能であるが、画面表示サイズを縮小しても、選択したメディアを表示装置１１で表示するスペースがないと判断した場合（ステップＳ２１０：Ｎｏ）、選択したメディアは表示装置１１に表示できないと判断する。
【００９１】
そして、表示メディア選択部２６は、タスクで必要なメディアのリストの中で、まだ選択していないメディアが残っているか否かを確認する（ステップＳ２１６）。まだ選択していないメディアが残っていると確認した場合（ステップＳ２１６：Ｙｅｓ）、表示メディア選択部２６は、まだ選択していないメディアの中から優先度の最も大きいメディアを選択し（ステップＳ２０５）、以後のステップを繰り返す。
【００９２】
表示メディア選択部２６が、タスクで必要なメディアのリストには、選択していないメディアがもう残っていないと確認した場合（ステップＳ２１６：Ｎｏ）、表示装置１１に表示しているメディアの数は、最初に表示条件設定部２５から受け付けたメディアの数ｎより少ないが、処理を終了する。
【００９３】
図９は、表示条件設定部２５が受け付けた割合が１００％、かつ、表示メディアの数が４個で、さらに指示部１７がメディアを表示する位置を指定している場合に、表示装置１１に表示される画面の一例を表す図である。メディア表示可能範囲１００は、第１表示部１０１、第２表示部１０２、第３表示部１０３、および、第４表示部１０４に４分割されている。それぞれ、第１表示部１０１は最初に表示することが決定されたメディア、第２表示部１０２は２番目に表示することが決定されたメディア、第３表示部１０３は３番目に表示することが決定されたメディア、第４表示部１０４は４番目に表示することが決定されたメディアを表示する範囲である。図９を見ると、表示メディア選択部２６が選択した４個のメディアがそれぞれ、第１表示部１０１、第２表示部１０２、第３表示部１０３、および、第４表示部１０４に表示されていることがわかる。
【００９４】
また、図１０は、表示条件設定部２５が受け付けた割合が１００％、かつ、表示メディアの数が４個で、さらに指示部１７がメディアを表示する位置を指定していない場合に、表示装置１１に表示される画面の一例を表す図である。図１０を見ると、受け付けた表示メディアの数が４個にも関わらず、表示スペースの関係上メディア表示可能範囲１００には３個のメディアしか表示されていないことがわかる。
【００９５】
このように、第２の実施の形態にかかる組立指示提示装置によれば、表示装置に表示できるメディアの数を指定することにより、タスクの内容に応じて表示するメディアの数を制限することができるので、表示スペースが空いていても不必要なメディアを表示せずに組立指示をすることができ、より理解が容易な組立指示の提示をすることが可能である。
【００９６】
（第３の実施の形態）
第１の実施の形態にかかる組立指示提示装置では、選択されたメディアの画面表示サイズが表示装置の画面に表示可能なスペース（表示領域のサイズ）より不足している場合、選択されたメディアを画面表示しないが、この第３の実施の形態にかかる組立指示提示装置では、選択されたメディアの画面表示サイズが表示装置の画面に表示可能なスペース（表示領域のサイズ）より不足している場合、選択されたメディアを別画面に表示する。
【００９７】
第３の実施の形態について、添付図面を参照して説明する。本実施の形態にかかる組立指示提示装置の構成例について、第１の実施の形態を異なる部分を説明する。他の部分については第１の実施の形態と同様であるので、上述した説明を参照し、ここでの説明を省略する。図１１は、第３の実施の形態にかかる組立指示提示装置の機能構成を示すブロック図である。
【００９８】
本実施の形態にかかる組立指示提示装置３は、表示装置１１、組立指示情報記憶部１２、メディア情報記憶部１３、表示制御部３４、表示条件設定部３５、表示メディア選択部３６、および、指示部１７を備えている。ここで、表示装置１１、組立指示情報記憶部１２、メディア情報記憶部１３、および、指示部１７の構成、機能は、第１の実施の形態と同様であるので、説明を省略する。
【００９９】
表示制御部３４は、表示装置１１の画面に表示する作業指示内容およびメディアの表示を制御する。
【０１００】
表示条件設定部３５は、表示装置１１に表示するメディアの条件（メディアの数、メディア画面表示サイズ）について、あらかじめ設定された設定条件または利用者等からの設定条件を受け付ける。
【０１０１】
表示メディア選択部３６は、表示条件設定部３５が受け付けた設定条件と、表示装置１１に表示可能なメディアのサイズと、表示装置１１に表示されるメディアの優先表示順位を示す優先度とに基づいて、表示装置１１に表示するメディアを選択し、これらのメディアを表示装置１１にそのまま表示するか別画面に表示するか、表示制御部１４に指示する。
【０１０２】
次に、上述したように構成されている組立指示提示装置による組立指示の提示方法について説明する。図１２は、組立指示提示装置が行う組立指示の提示手順を示すフローチャートである。
【０１０３】
ここで、ステップＳ３０１からステップＳ３０９までのフローは、第２の実施の形態における図８のステップＳ２０１からステップＳ２０９までのフローと同じであり、以下、説明を省略する。
【０１０４】
ステップＳ３０６で、表示メディア選択部３６が、選択したメディアを表示装置１１で表示するスペースがないと判断した場合（ステップＳ３０６：Ｎｏ）、表示メディア選択部３６は、選択したメディアの画面表示サイズが縮小可能であるか否か、そして縮小可能である場合、選択したメディアの縮小後の画面表示サイズが表示装置１１で表示可能なサイズであるか否か、即ち、画面表示サイズを縮小すれば、選択したメディアを表示装置１１で表示するスペースがあるか否かを判断する（ステップＳ３１０）。なお、選択したメディアの画面表示サイズが縮小可能であるか否かの具体的な判断、および選択したメディアを表示装置１１で表示するスペースがあるか否かの具体的な判断については第１の実施の形態と同様に行われる。
【０１０５】
表示メディア選択部３６が、選択したメディアの画面表示サイズが縮小可能であり、さらに画面表示サイズを縮小すれば、選択したメディアを表示装置１１で表示するスペースがあると判断した場合（ステップＳ３１０：Ｙｅｓ）、表示メディア選択部３６は、このメディアを表示装置１１に表示するメディアであると判断し、表示制御部３４に対して表示装置１１に表示するように指示する。
【０１０６】
表示制御部３４は、表示メディア選択部３６からメディアを表示装置１１に表示するよう指示を受けると、指示部１７からの指示で、表示装置１１の画面でメディアを表示する位置が指定されているか否かを確認する（ステップＳ３１１）。
【０１０７】
指示部１７からの指示で、表示装置１１の画面でメディアを表示する位置が指定されていると確認した場合（ステップＳ３１１：Ｙｅｓ）、表示制御部３４は、画面表示サイズを縮小した上で、メディアを表示装置の指定位置に表示する（ステップＳ３１２）。
【０１０８】
指示部１７からの指示で、表示装置１１の画面でメディアを表示する位置が指定されていないと確認した場合（ステップＳ３１１：Ｎｏ）、表示制御部３４は、画面表示サイズを縮小した上で、メディアを表示装置の任意の位置に表示する（ステップＳ３１３）。
【０１０９】
ステップＳ３１０で、表示メディア選択部３６が、選択したメディアの画面表示サイズが縮小可能でないと判断した場合、または、表示メディア選択部３６が、選択したメディアの画面表示サイズが縮小可能であるが、画面表示サイズを縮小しても、選択したメディアを表示装置１１で表示するスペースがないと判断した場合（ステップＳ３１０：Ｎｏ）、選択したメディアは表示装置１１の最初の表示画面には表示できないと判断する。そして、表示メディア選択部３６は、メディアを表示装置１１で現在表示されている画面とは別の画面（別フレーム）に表示するメディアとして選択し、別の画面で表示する旨を表示制御部３４に指示する。
【０１１０】
表示制御部３４は、表示メディア選択部３６からメディアを表示装置１１で現在表示されている画面とは別の画面（別フレーム）に表示するよう指示を受けると、表示制御部３４は、新規画面（新規フレーム）を作成しその画面にメディアを表示するとともに、現在表示されている画面に、別画面が作成された旨を表示する（ステップＳ３１４）。別画面に表示するメディアの画面表示サイズは、通常のサイズでも縮小後のサイズでもどちらでも構わない。
【０１１１】
図１３は、表示条件設定部３５が受け付けた割合が１００％、かつ、表示メディアの数が６個で、さらに指示部１７がメディアを表示する位置を指定している場合に、表示装置１１に表示される画面の一例を表す図である。図９に対して、さらに、メディア表示可能範囲１００には、別フレーム切換え表示部１０５が表示されている。別フレーム切換え表示部１０５は、別フレームに表示メディアが表示されている時に画面に現れ、利用者がこの部分を、図示しないマウスでクリックすること等により、画面が別フレームに切り替わる。
【０１１２】
図１３では、受け付けた表示メディアの数が６個であるのに対し、表示スペースの関係でメディア表示可能範囲１００には４個のメディアしか表示されていない。ここで、残りの２個のメディアは別フレームに表示されており、利用者は、別フレームを別途表示することにより、残りの２個のメディアを見ることが可能である。また、利用者は、現在表示されている画面と別フレームの画面とを適宜切り替えて、組立指示の内容を確認することが可能である。
【０１１３】
ステップＳ３０８の終了後、ステップＳ３０９の終了後、ステップＳ３１２の終了後、ステップＳ３１３の終了後、および、ステップＳ３１４の終了後は、全てステップ３１５に進む。
【０１１４】
ステップＳ３１５で、表示メディア選択部３６は、タスクで必要なメディアのリストの中で、まだ選択していないメディアが残っているか否かを確認する。まだ選択していないメディアが残っていると確認した場合（ステップＳ３１５：Ｙｅｓ）、表示メディア選択部３６は、ｎから１を引き（ステップＳ３１６）、ステップＳ３０４へ戻る。即ち、ステップＳ３１６で１を引いた後のｎは、表示メディア選択部３６が再びステップＳ３０４以後で選択して表示部１１に表示する必要があるメディアの数である。
【０１１５】
既に選択していないメディアが残っていないと確認した場合（ステップＳ３１５：Ｎｏ）、表示装置１１に表示しているメディアの数は、最初に表示条件設定部３５から受け付けたメディアの数ｎと同じになり、処理を終了する。
【０１１６】
このように、第３の実施の形態にかかる組立指示提示装置によれば、表示装置に表示希望するメディアの数を表示する前に最初の表示画面の表示可能スペースがなくなってしまった場合でも、新たに別フレームを作成し、別フレームに残りのメディアを表示することができるので、指定したメディアの数を全て表示して組立指示をすることができ、より正確な組立指示の提示をすることが可能である。
【０１１７】
（第４の実施の形態）
第４の実施の形態にかかる組立指示提示装置では、利用者が組立指示提示装置に表示されるメディアの好みをあらかじめ入力することにより、優先度を変更する。
【０１１８】
第４の実施の形態について、添付図面を参照して説明する。本実施の形態にかかる組立指示提示装置の構成例について、第１の実施の形態を異なる部分を説明する。他の部分については第１の実施の形態と同様であるので、上述した説明を参照し、ここでの説明を省略する。図１４は、第４の実施の形態にかかる組立指示提示装置の機能構成を示すブロック図である。
【０１１９】
本実施の形態にかかる組立指示提示装置４は、表示装置１１、組立指示情報記憶部１２、メディア情報記憶部１３、表示制御部４４、表示条件設定部１５、表示メディア選択部１６、指示部１７、入力部４８、および、優先度変更部４９を備えている。ここで、表示装置１１、組立指示情報記憶部１２、メディア情報記憶部１３、表示条件設定部１５、表示メディア選択部１６、および、指示部１７の構成、機能は、第１の実施の形態と同様であるので、説明を省略する。
【０１２０】
表示制御部４４は、表示装置１１の画面に表示する作業指示内容の表示、メディアの表示、および、利用者のメディアに対する好み（好きなメディアの種類、最新のメディアの表示を希望等）を設定する優先度設定画面の表示を制御する。
【０１２１】
入力部４８は、利用者がメディアに対する好みを入力する。ここで、入力部４８は、具体的には、キーボートやマウス等である。
【０１２２】
優先度変更部４９は、組立指示情報記憶部１２に記憶されているメディアの一覧からメディアを順番に選択し、入力部４８から入力された利用者のメディアに対する好みと、メディア情報記憶部１３に記憶されたメディアの情報（種類、および、作成日時または更新日時）から、組立指示情報記憶部１２に記憶されている優先度の数値を変更する。
【０１２３】
次に、上述したように構成されている組立指示提示装置による優先度の変更方法について説明する。図１５は、組立指示提示装置が行う優先度の変更手順を示すフローチャートである。
【０１２４】
利用者は、メディアに対する好みを入力部４８に入力する（ステップＳ４０１）。具体的には、表示制御部４４により表示装置１１に表示された優先度設定画面の指示に従って、利用者の入力が行われる。図１６は、優先度設定画面の一例を表す図である。図１６に示すように、利用者は、好きなメディアの種類と、最新のメディアを優先表示することを希望するか否かとについて質問を受け付け、その質問について回答する形で入力が行われる。図１６の場合、利用者は、好きなメディアとして動画を選択し、さらに、最新のメディアが優先表示されることを希望している。
【０１２５】
優先度変更部４９は、利用者に組立指示をする予定のタスクについて、組立指示情報記憶部１２に記憶されたタスクの組立指示に必要なメディアの一覧からメディアを１個選択するとともに、このメディアについての情報（メディアの種類、および、メディアの作成日時または更新日時）をメディア情報記憶部１３から入手する（ステップＳ４０２）。
【０１２６】
優先度変更部４９は、選択したメディアが利用者の好きなメディアであるか否かを判断する（ステップＳ４０３）。選択したメディアが利用者の好きなメディアであると判断した場合（ステップＳ４０３：Ｙｅｓ）、優先度変更部４９は、組立指示情報記憶部１２に記憶されたこのメディアに対応する優先度に、あらかじめ設定された一定の数を追加する（ステップＳ４０４）。
【０１２７】
優先度変更部４９は、一定数を追加後の優先度が１００を越えているか否かを確認する（ステップＳ４０５）。前述したように、優先度は０〜１００の数値で表されているため、優先度が１００を越えるとエラーとなるためである。優先度が１００を越えていると確認した場合（ステップＳ４０５：Ｙｅｓ）、優先度変更部４９は、優先度を１００に変更し（ステップＳ４０６）、ステップＳ４０７へ進む。優先度が１００を越えていないと確認した場合（ステップＳ４０５：Ｎｏ）、そのままステップＳ４０７へ進む。
【０１２８】
ステップＳ４０３で、選択したメディアが利用者の好きなメディアではないと判断した場合（ステップＳ４０３：Ｎｏ）、そのままステップＳ４０７へ進む。
【０１２９】
ステップＳ４０７で、優先度変更部４９は、利用者が最新のメディアを優先表示することを希望している場合、選択したメディアが最新であるか否かを判断する（ステップＳ４０７）。最新であるか否かの基準は、例えば、作業日の１週間前から作業日までの間に新規作成または更新が行われたメディアを最新であるとして判断する。
【０１３０】
利用者が最新のメディアを優先表示することを希望しており、かつ、選択したメディアが最新であると判断した場合（ステップＳ４０７：Ｙｅｓ）、優先度変更部４９は、組立指示情報記憶部１２に記憶されたこのメディアに対応する優先度に、あらかじめ設定された一定の数を追加する（ステップＳ４０８）。
【０１３１】
優先度変更部４９は、一定数を追加後の優先度が１００を越えているか否かを確認する（ステップＳ４０９）。優先度が１００を越えていると確認した場合（ステップＳ４０９：Ｙｅｓ）、優先度変更部４９は、優先度を１００に変更し（ステップＳ４１０）、ステップＳ４１１へ進む。優先度が１００を越えていないと確認した場合（ステップＳ４０９：Ｎｏ）、そのままステップＳ４１１へ進む。
【０１３２】
ステップＳ４０７で、利用者が最新のメディアを優先表示することを希望していない場合、あるいは、利用者が最新のメディアを優先表示することを希望しているが、選択したメディアが最新ではないと判断した場合（ステップＳ４０７：Ｎｏ）、そのままステップＳ４１１へ進む。
【０１３３】
ステップＳ４１１で、優先度変更部４９は、選択したメディアがタスク指示に必要なメディア一覧の中で、最後であるか否かを確認する（ステップＳ４１１）。選択したメディアがタスク指示に必要なメディア一覧の中で、最後でないと確認した場合（ステップＳ４１１：Ｎｏ）、優先度変更部４９は、組立指示情報記憶部１２に記憶されたタスク指示に必要なメディアの一覧から次のメディアを１個選択し（ステップＳ４１２）、以後のステップを繰り返す。
【０１３４】
選択したメディアがタスク指示に必要なメディア一覧の中で、最後であると確認した場合（ステップＳ４１１：Ｙｅｓ）、処理を終了する。
【０１３５】
尚、本実施の形態では、優先度に追加する数は設定済みの値であるが、優先度設定画面に優先度に追加する数を入力する欄を設けて、利用者が入力してもよい。
【０１３６】
また、本実施の形態では、利用者が好むメディアの優先度に一定の数を追加しているが、反対に、利用者が嫌いなメディアの優先度から一定の数を引いてもよい。
【０１３７】
また、本実施の形態では、利用者が入力手段で入力する項目は、好きなメディアの種類と、最新のメディアを優先表示することを希望するか否かであるが、他の項目でもよい。例えば、優先度設定画面に、利用者が画面表示サイズの大きいメディアを優先表示することを希望するか否かについての質問を受け付け、優先度変更部４９が、その質問に対する回答を考慮して優先度を変更してもよい。
【０１３８】
また、本実施の形態では、優先度は、組立指示情報記憶部１２でメディア名と対応付けられて記憶されているが、メディア情報記憶部１３でメディア名と対応付けられて記憶されてもよい。この場合、優先度はメディア毎に固定されているため、優先度の変更もメディア毎にされる。
【０１３９】
さらに、本実施の形態では、優先度の変更は、利用者による好みの表示メディアの入力に基づいて行われているが、監督者が、別の優先度設定画面を通じて、特定のメディアに対して一斉または個別に行ってもよい。
【０１４０】
このように、第４の実施の形態にかかる組立指示提示装置によれば、表示装置に表示するメディアの優先度を適宜変更することができるので、状況に応じて表示したいメディアを変更することができ、より正確な組立指示の提示をすることが可能である。
【０１４１】
さらに、第４の実施の形態にかかる組立指示提示装置によれば、表示装置に表示するメディアの優先度を、利用者の希望に合わせて変更することができるので、利用者毎に表示するメディアを変更することができ、より理解が容易な組立指示の提示をすることが可能である。
【０１４２】
第１、第２、第３および第４の実施の形態にかかる組立指示提示装置１、２、３および４で実行される組立指示提示プログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよく、ＲＯＭ等に予め組み込んで提供するように構成してもよい。
【０１４３】
また、第１、第２、第３および第４の実施の形態にかかる組立指示提示装置１、２、３および４で実行される組立指示提示プログラムを、インターネット等のネットワークに接続されたコンピュータ上に格納し、ネットワーク経由でダウンロードさせることにより提供するように構成しても良い。また、第１、第２、第３および第４の実施の形態にかかる組立指示提示装置１、２、３および４で実行される組立指示提示プログラムをインターネット等のネットワーク経由で提供または配布するように構成しても良い。
【０１４４】
また、第１、第２、第３および第４の実施の形態にかかる組立指示提示装置１、２、３および４で実行される組立指示提示プログラムを、ＲＯＭ等に予め組み込んで提供するように構成してもよい。
【０１４５】
また、第１、第２、第３および第４の実施の形態にかかる組立指示提示装置１、２、３および４で実行される組立指示提示プログラムは、上述した各部（表示制御部１４、３４および４４、表示条件設定部１５、２５および３５、表示メディア選択部１６、２６および３６、指示部１７、および、優先度変更部４９）を含むモジュール構成となっており、実際のハードウェアとしてはＣＰＵ（プロセッサ）が上記記憶媒体から組立指示提示プログラムを読み出して実行することにより上記各部が主記憶装置上にロードされ、表示制御部１４、３４および４４、表示条件設定部１５、２５および３５、表示メディア選択部１６、２６および３６、指示部１７、および、優先度変更部４９が主記憶装置上に生成されるようになっている。
【図面の簡単な説明】
【０１４６】
【図１】第１の実施の形態にかかる組立指示提示装置の機能構成を示すブロック図である。
【図２】組立指示情報記憶部に記憶されている組立指示情報データのデータ構造の一例を表す図である。
【図３】メディア情報記憶部に記憶されているメディア情報データのデータ構造の一例を表す図である。
【図４】組立指示提示装置が行う組立指示の提示手順を示すフローチャートである。
【図５】表示装置に表示される画面の一例を表す図である。
【図６】表示装置に表示される画面の一例を表す図である。
【図７】第２の実施の形態にかかる組立指示提示装置の機能構成を示すブロック図である。
【図８】組立指示提示装置が行う組立指示の提示手順を示すフローチャートである。
【図９】表示装置に表示される画面の一例を表す図である。
【図１０】表示装置に表示される画面の一例を表す図である。
【図１１】第３の実施の形態にかかる組立指示提示装置の機能構成を示すブロック図である。
【図１２】組立指示提示装置が行う組立指示の提示手順を示すフローチャートである。
【図１３】表示装置に表示される画面の一例を表す図である。
【図１４】第４の実施の形態にかかる組立指示提示装置の機能構成を示すブロック図である。
【図１５】組立指示提示装置が行う優先度の変更手順を示すフローチャートである。
【図１６】優先度設定画面の一例を表す図である。
【符号の説明】
【０１４７】
１、２、３、４  組立指示提示装置
１１  表示装置
１２  組立指示情報記憶部
１３  メディア情報記憶部
１４、３４、４４  表示制御部
１５、２５、３５  表示条件設定部
１６、２６、３６  表示メディア選択部
１７  指示部
４８  入力部
４９  優先度変更部
１００  メディア表示可能範囲
１１０  タスクリスト表示範囲
１０１  第１表示部
１０２  第２表示部
１０３  第３表示部
１０４  第４表示部
１０５  別フレーム切換え表示部
【図１】
2008155296.tif 000003
【図２】
2008155296.tif 000004
【図３】
2008155296.tif 000005
【図４】
2008155296.tif 000006
【図５】
2008155296.tif 000007
【図６】
2008155296.tif 000008
【図７】
2008155296.tif 000009
【図８】
2008155296.tif 000010
【図９】
2008155296.tif 000011
【図１０】
2008155296.tif 000012
【図１１】
2008155296.tif 000013
【図１２】
2008155296.tif 000014
【図１３】
2008155296.tif 000015
【図１４】
2008155296.tif 000016
【図１５】
2008155296.tif 000017
【図１６】
2008155296.tif 000018